(57)【要約】【課題】ユーザ所望の写真を簡便に得る。【解決手段】被写体を撮像する撮像部１を備える撮像装置１００に、複数種の選択設定可能な選択可能自動撮影条件の中から少なくとも１つを任意に設定して自動撮影条件を設定する処理と、設定された自動撮影条件を満たしているか否かを判定する処理と、自動撮影条件を満たしていると判定された場合に、撮像部１による被写体画像の本撮像を指示する処理とを行うＣＰＵ７１を備える。【選択図】図１
2010158047.tif 000002
【特許請求の範囲】
【請求項１】
被写体を撮像する撮像手段と、
複数種の選択設定可能な選択可能自動撮影条件の中から少なくとも１つを任意に設定して自動撮影条件を設定する自動撮影条件設定手段と、
前記自動撮影条件設定手段により設定された前記自動撮影条件を満たしているか否かを判定する自動撮影条件判定手段と、
前記自動撮影条件判定手段により前記自動撮影条件を満たしていると判定された場合に、前記撮像手段による被写体の撮像又は被写体画像の記録を指示する自動撮像指示制御手段と、
を備えることを特徴とする撮像装置。
【請求項２】
前記自動撮影条件設定手段は、複数種の選択可能自動撮影条件の中から少なくとも２つ設定し、
前記自動撮影条件設定手段により設定された前記選択可能自動撮影条件を個別に満たしているか否かを判定する選択可能自動撮影条件判定手段を備えることを特徴とする請求項１に記載の撮像装置。
【請求項３】
前記自動撮影条件判定手段は、前記選択可能自動撮影条件判定手段により前記選択可能自動撮影条件を全て満たしていると判定された場合に、前記自動撮影条件を満たしていると判断することを特徴とする請求項２に記載の撮像装置。
【請求項４】
前記自動撮影条件判定手段は、前記選択可能自動撮影条件判定手段により前記選択可能自動撮影条件を所定数満たしていると判定された場合に、前記自動撮影条件を満たしていると判断することを特徴とする請求項２に記載の撮像装置。
【請求項５】
前記複数種の選択可能自動撮影条件の各々について、当該条件の判定に係る判定基準を設定する基準設定手段を備え、
前記選択可能自動撮影条件判定手段は、前記基準設定手段により設定された前記判定基準を満たしているか否かを判定し、当該判定結果に応じて前記選択可能自動撮影条件を満たしているか否かを判定することを特徴とする請求項２〜４の何れか一項に記載の撮像装置。
【請求項６】
前記撮像手段による撮像後に、前記自動撮影条件設定手段により設定された前記自動撮影条件と、前記撮像手段により撮像され生成された画像情報とを対応付けて記録する撮影条件記録手段を備えることを特徴とする請求項１〜５の何れか一項に記載の撮像装置。
【請求項７】
前記撮像手段による撮像後に、前記撮像手段により撮像され生成された画像情報と、前記自動撮影条件と関連した被写体の撮像状態とを対応付けて記録する撮像状態記録手段を備えることを特徴とする請求項１〜６の何れか一項に記載の撮像装置。
【請求項８】
前記自動撮影条件判定手段による前記自動撮影条件を満たしているか否かの判定開始時を所定の操作から所定時間経過後に設定する判定開始時設定手段を備えることを特徴とする請求項１〜７の何れか一項に記載の撮像装置。
【請求項９】
前記自動撮影条件判定手段による前記自動撮影条件を満たしているか否かの判定結果に基づいて、前記撮像手段により撮像された被写体画像の前記自動撮影条件と関連した撮像状態を逐次表示させる撮像状態逐次表示制御手段を備えることを特徴とする請求項１〜８の何れか一項に記載の撮像装置。
【請求項１０】
前記撮像手段による撮像後に、当該撮像手段により撮像された撮像時の被写体画像と、前記被写体画像の前記自動撮影条件と関連した撮像状態とを表示させる撮像後状態表示制御手段を備えることを特徴とする請求項１〜９の何れか一項に記載の撮像装置。
【請求項１１】
前記撮像手段により撮像される被写体から複数の人物を検出する複数人物検出手段を備え、
前記自動撮影条件設定手段は、前記複数人物検出手段により検出された前記複数の人物について前記自動撮影条件を設定し、
前記自動撮影条件判定手段は、前記自動撮影条件設定手段により設定された前記複数の人物に係る前記自動撮影条件を満たしているか否かを判定し、
前記自動撮像指示制御手段は、前記自動撮影条件判定手段により前記複数の人物に係る前記自動撮影条件を満たしていると判定された場合に、前記撮像手段による被写体の撮像を指示することを特徴とする請求項１〜１０の何れか一項に記載の撮像装置。
【請求項１２】
被写体を撮像する撮像手段と、
自動撮影条件を構成する複数種の自動撮影条件構成項目の各々について、当該項目を満たしているか否かの判定に係る判定基準を設定して、当該自動撮影条件を設定する自動撮影条件設定手段と、
前記自動撮影条件設定手段により設定された前記自動撮影条件を満たしているか否かを前記判定基準を満たしているか否かに応じて判定する自動撮影条件判定手段と、
前記自動撮影条件判定手段により前記自動撮影条件を満たしていると判定された場合に、前記撮像手段による被写体の撮像又は被写体画像の記録を指示する自動撮像指示制御手段と、
を備えることを特徴とする撮像装置。
【請求項１３】
被写体を撮像する撮像手段を備える撮像装置に、
複数種の選択設定可能な選択可能自動撮影条件の中から少なくとも１つを任意に設定して自動撮影条件を設定する機能と、
設定された前記自動撮影条件を満たしているか否かを判定する機能と、
前記自動撮影条件を満たしていると判定された場合に、前記撮像手段による被写体の撮像又は被写体画像の記録を指示する機能と、
を実現させることを特徴とするプログラム。
【請求項１４】
被写体を撮像する撮像手段を備える撮像装置に、
自動撮影条件を構成する複数種の自動撮影条件構成項目の各々について、当該項目を満たしているか否かの判定に係る判定基準を設定して、当該自動撮影条件を設定する機能と、
前記自動撮影条件を満たしているか否かを前記判定基準を満たしているか否かに応じて判定する機能と、
前記自動撮影条件を満たしていると判定された場合に、前記撮像手段による被写体の撮像又は被写体画像の記録を指示する機能と、
を実現させることを特徴とするプログラム。
【発明の詳細な説明】
【技術分野】
【０００１】
本発明は、被写体の撮影を自動的に行う撮像装置及びプログラムに関する。
【背景技術】
【０００２】
従来、集合写真などの撮影の際に、被写体の目を検出することにより、被写体人物全員が撮像装置の方を向いた状態となったら、自動的に撮影を行う撮像装置が知られている。これにより、全ての人物が撮像装置を向いている状態の写真を得ることができる。（例えば、特許文献１参照）。
【先行技術文献】
【特許文献】
【０００３】
【特許文献１】特開２００４−３３６２６５号公報
【発明の概要】
【発明が解決しようとする課題】
【０００４】
ところで、「撮像装置の方を向いたら」という一の条件のみで自動的にシャッターを切るようになっている場合、撮像装置の方を向いていなくとも笑顔の写真が欲しい場合や、撮像装置の方を向いているとともに笑顔の写真が欲しい場合には、直接的に対応することができないといった問題がある。
【０００５】
そこで、本発明の課題は、ユーザ所望の写真を簡便に得ることができる撮像装置及びプログラムを提供することである。
【課題を解決するための手段】
【０００６】
請求項１に記載の発明の撮像装置は、
被写体を撮像する撮像手段と、
複数種の選択設定可能な選択可能自動撮影条件の中から少なくとも１つを任意に設定して自動撮影条件を設定する自動撮影条件設定手段と、
前記自動撮影条件設定手段により設定された前記自動撮影条件を満たしているか否かを判定する自動撮影条件判定手段と、
前記自動撮影条件判定手段により前記自動撮影条件を満たしていると判定された場合に、前記撮像手段による被写体の撮像又は被写体画像の記録を指示する自動撮像指示制御手段と、
を備えることを特徴としている。
【０００７】
請求項２に記載の発明は、請求項１に記載の撮像装置において、
前記自動撮影条件設定手段は、複数種の選択可能自動撮影条件の中から少なくとも２つ設定し、
前記自動撮影条件設定手段により設定された前記選択可能自動撮影条件を個別に満たしているか否かを判定する選択可能自動撮影条件判定手段を備えることを特徴としている。
【０００８】
請求項３に記載の発明は、請求項２に記載の撮像装置において、
前記自動撮影条件判定手段は、前記選択可能自動撮影条件判定手段により前記選択可能自動撮影条件を全て満たしていると判定された場合に、前記自動撮影条件を満たしていると判断することを特徴としている。
【０００９】
請求項４に記載の発明は、請求項２に記載の撮像装置において、
前記自動撮影条件判定手段は、前記選択可能自動撮影条件判定手段により前記選択可能自動撮影条件を所定数満たしていると判定された場合に、前記自動撮影条件を満たしていると判断することを特徴としている。
【００１０】
請求項５に記載の発明は、請求項２〜４の何れか一項に記載の撮像装置において、
前記複数種の選択可能自動撮影条件の各々について、当該条件の判定に係る判定基準を設定する基準設定手段を備え、
前記選択可能自動撮影条件判定手段は、前記基準設定手段により設定された前記判定基準を満たしているか否かを判定し、当該判定結果に応じて前記選択可能自動撮影条件を満たしているか否かを判定することを特徴としている。
【００１１】
請求項６に記載の発明は、請求項１〜５の何れか一項に記載の撮像装置において、
前記撮像手段による撮像後に、前記自動撮影条件設定手段により設定された前記自動撮影条件と、前記撮像手段により撮像され生成された画像情報とを対応付けて記録する撮影条件記録手段を備えることを特徴としている。
【００１２】
請求項７に記載の発明は、請求項１〜６の何れか一項に記載の撮像装置において、
前記撮像手段による撮像後に、前記撮像手段により撮像され生成された画像情報と、前記自動撮影条件と関連した被写体の撮像状態とを対応付けて記録する撮像状態記録手段を備えることを特徴としている。
【００１３】
請求項８に記載の発明は、請求項１〜７の何れか一項に記載の撮像装置において、
前記自動撮影条件判定手段による前記自動撮影条件を満たしているか否かの判定開始時を所定の操作から所定時間経過後に設定する判定開始時設定手段を備えることを特徴としている。
【００１４】
請求項９に記載の発明は、請求項１〜８の何れか一項に記載の撮像装置において、
前記自動撮影条件判定手段による前記自動撮影条件を満たしているか否かの判定結果に基づいて、前記撮像手段により撮像された被写体画像の前記自動撮影条件と関連した撮像状態を逐次表示させる撮像状態逐次表示制御手段を備えることを特徴としている。
【００１５】
請求項１０に記載の発明は、請求項１〜９の何れか一項に記載の撮像装置において、
前記撮像手段による撮像後に、当該撮像手段により撮像された撮像時の被写体画像と、前記被写体画像の前記自動撮影条件と関連した撮像状態とを表示させる撮像後状態表示制御手段を備えることを特徴としている。
【００１６】
請求項１１に記載の発明は、請求項１〜１０の何れか一項に記載の撮像装置において、
前記撮像手段により撮像される被写体から複数の人物を検出する複数人物検出手段を備え、
前記自動撮影条件設定手段は、前記複数人物検出手段により検出された前記複数の人物について前記自動撮影条件を設定し、
前記自動撮影条件判定手段は、前記自動撮影条件設定手段により設定された前記複数の人物に係る前記自動撮影条件を満たしているか否かを判定し、
前記自動撮像指示制御手段は、前記自動撮影条件判定手段により前記複数の人物に係る前記自動撮影条件を満たしていると判定された場合に、前記撮像手段による被写体の撮像を指示することを特徴としている。
【００１７】
請求項１２に記載の発明の撮像装置は、
被写体を撮像する撮像手段と、
自動撮影条件を構成する複数種の自動撮影条件構成項目の各々について、当該項目を満たしているか否かの判定に係る判定基準を設定して、当該自動撮影条件を設定する自動撮影条件設定手段と、
前記自動撮影条件設定手段により設定された前記自動撮影条件を満たしているか否かを前記判定基準を満たしているか否かに応じて判定する自動撮影条件判定手段と、
前記自動撮影条件判定手段により前記自動撮影条件を満たしていると判定された場合に、前記撮像手段による被写体の撮像又は被写体画像の記録を指示する自動撮像指示制御手段と、
を備えることを特徴としている。
【００１８】
請求項１３に記載の発明のプログラムは、
被写体を撮像する撮像手段を備える撮像装置に、
複数種の選択設定可能な選択可能自動撮影条件の中から少なくとも１つを任意に設定して自動撮影条件を設定する機能と、
設定された前記自動撮影条件を満たしているか否かを判定する機能と、
前記自動撮影条件を満たしていると判定された場合に、前記撮像手段による被写体の撮像又は被写体画像の記録を指示する機能と、
を実現させることを特徴としている。
【００１９】
請求項１４に記載の発明のプログラムは、
被写体を撮像する撮像手段を備える撮像装置に、
自動撮影条件を構成する複数種の自動撮影条件構成項目の各々について、当該項目を満たしているか否かの判定に係る判定基準を設定して、当該自動撮影条件を設定する機能と、
前記自動撮影条件を満たしているか否かを前記判定基準を満たしているか否かに応じて判定する機能と、
前記自動撮影条件を満たしていると判定された場合に、前記撮像手段による被写体の撮像又は被写体画像の記録を指示する機能と、
を実現させることを特徴としている。
【発明の効果】
【００２０】
本発明によれば、ユーザ所望の写真を簡便に得ることができる。
【図面の簡単な説明】
【００２１】
【図１】本発明を適用した実施形態１の撮像装置の概略構成を示すブロック図である。
【図２】図１の撮像装置の画像表示部に表示された自動撮影条件設定画面の一例を模式的に示す図である。
【図３】図１の撮像装置の背面図であり、オートシャッター撮影処理に係る画面の一例を模式的に示す図である。
【図４】図１の撮像装置の背面図であり、オートシャッター撮影処理に係る画面の一例を模式的に示す図である。
【図５】図１の撮像装置によるオートシャッター撮影処理に係る動作の一例を示すフローチャートである。
【図６】図５のオートシャッター撮影処理の自動撮影条件判定処理に係る動作の一例を示すフローチャートである。
【図７】変形例１の撮像装置の画像表示部に表示された自動撮影条件設定画面の一例を模式的に示す図である。
【図８】図７の撮像装置の自動撮影条件判定処理を説明するための被写体の模式図である。
【図９】変形例２の撮像装置の概略構成を示すブロック図である。
【発明を実施するための形態】
【００２２】
以下に、本発明について、図面を用いて具体的な態様を説明する。ただし、発明の範囲は、図示例に限定されない。
図１は、本発明を適用した一実施形態の撮像装置１００の概略構成を示すブロック図である。
【００２３】
＜実施形態１＞
実施形態１の撮像装置１００は、複数種の選択可能自動撮影条件の中から選択可能自動撮影条件を少なくとも一つ任意に設定してオートシャッター撮影処理を行う。
より詳しくは、撮像装置１００は、複数種の選択可能自動撮影条件を用いて、自動撮影条件を任意に設定可能であり、この自動撮影条件を満たすとオートシャッター撮影処理が行われる。
【００２４】
（ブロック図の説明）
撮像装置１００は、図１に示すように、撮像部１と、撮像補助部２と、表示部３、操作部４と、記録媒体５と、集音部６と、制御部７等を備えて構成されている。
【００２５】
撮像部１は、撮像レンズ群１１と、電子撮像部１２と、映像信号処理部１３と、画像メモリ１４と、撮影制御部１５等を備えている。
【００２６】
撮像レンズ群１１は、複数の撮像レンズから構成されている。
電子撮像部１２は、撮像レンズ群１１を通過した被写体像を二次元の画像信号に変換するＣＣＤ（Charge Coupled Device）やＣＭＯＳ（Complementary Metal-oxide Semiconductor）等の撮像素子から構成されている。
映像信号処理部１３は、電子撮像部１２から出力される画像信号に対して所定の画像処理を施すものである。
画像メモリ１４は、画像処理後の画像信号を一時的に記憶する。
撮影制御部１５は、ＣＰＵ７１の制御下にて、電子撮像部１２及び映像信号処理部１３を制御する。具体的には、撮影制御部１５は、電子撮像部１２に所定の露出時間で被写体を撮像させ、当該電子撮像部１２の撮像領域から画像信号を所定のフレームレートで読み出す処理の実行を制御する。
【００２７】
上記構成の撮像部１は、被写体を撮像して撮像画像データ（画像信号）を取得する撮像手段を構成している。
【００２８】
撮像補助部２は、撮像部１による被写体の撮像の際に駆動するものであり、例えば、フォーカス駆動部２１と、ズーム駆動部２２等を備えている。
【００２９】
フォーカス駆動部２１は、撮像レンズ群１１に接続されたフォーカス機構部（図示略）を駆動させる。
ズーム駆動部２２は、撮像レンズ群１１に接続されたズーム機構部（図示略）を駆動させる。
なお、フォーカス駆動部２１及びズーム駆動部２２は、撮影制御部１５に接続され、撮影制御部１５の制御下にて駆動する。
【００３０】
表示部３は、撮像部１により撮像された画像を表示するものであり、表示画面を撮像装置１００の背面側から露出させるように配設されている（図３（ａ）等参照）。また、表示部３は、例えば、表示制御部３１と、画像表示部３２等を備えている。
【００３１】
表示制御部３１は、ＣＰＵ７１から適宜出力される表示データを一時的に保存するビデオメモリ（図示略）を備えている。
【００３２】
画像表示部３２は、表示制御部３１からの出力信号に基づいて表示画面に所定の画像や情報を表示する。
即ち、画像表示部３２は、自動撮影条件設定処理（詳細後述）にて、自動撮影条件設定画面Ｇ１（図２参照）を表示する。ここで、自動撮影条件設定画面Ｇ１は、図２に示すように、「止まったら」、「笑ったら」、「音が鳴ったら」、「正面を向いたら」、「目が開いたら」、「口が止まったら」等の選択設定可能な自動撮影条件の候補として規定されている複数種の選択可能自動撮影条件の項目と各項目を選択用のボタン「○」とが対応付けられたものである。そして、これら複数種の自動撮影条件の項目の中から、例えば、「止まったら」、「笑ったら」、「正面を向いたら」等の所望の項目を選択設定することで、白抜き（ドットなし）の「○」が所定の色で着色された表示（ドット表示）「●」となる（図２参照）。
なお、複数種の選択可能自動撮影条件の項目のうち、ユーザによるカーソルボタンｃ１の所定操作に基づいて現に選択されている項目「笑ったら」は、背景部分が所定の色で着色された表示（ドット表示）とされている。
【００３３】
また、画像表示部３２は、撮像部１により撮像されるプレビュー画像を表示し、このとき、自動撮影条件設定処理（詳細後述）にて設定された自動撮影条件と関連した撮像状態に係る撮像時状態画面Ｃを逐次リアルタイムで表示する（図３（ａ）〜図３（ｃ）参照）。
具体的には、撮像時状態画面Ｃは、設定された選択可能自動撮影条件（例えば、「止まったら」、「笑ったら」、「正面を向いたら」；図３（ａ）〜図３（ｃ）参照）等に応じた撮像状態の変動をレベルバー形態でＯＳＤ表示する。例えば、図３（ａ）〜図３（ｃ）に示すように、画像表示部３２のやや下よりの位置に、選択可能自動撮影条件「止まったら」と関連付けられた「ぶれ」、選択可能自動撮影条件「笑ったら」と関連付けられた「笑顔」、選択可能自動撮影条件「正面を向いたら」と関連付けられた「顔の向き」の各項目について５段階のレベルで表示する。そして、選択可能自動撮影条件の各項目について、選択可能自動撮影条件判定処理（詳細後述）にて所定の基準値を満たしていると判定された場合には、５段階のレベルバーの左から４つ目までが着色された状態となって、その右側に「ＯＫ！」が表示され、また、ほぼ完全に満たしていると判定された場合には、５つ全てのレベルバーが着色された状態となって「Ｐｅｒｆｅｃｔ！」が表示される（図３（ｃ）参照）。一方、所定の基準値を満たしていないと判定された場合には、その程度に応じて何れのレベルバーが着色されないか、或いは、１〜３つのレベルバーが左から順に着色された状態となって「ＮＧ！」が表示される（図３（ａ）及び図３（ｂ）参照）。
【００３４】
また、画像表示部３２は、撮像部１による被写体の撮像後に、記録媒体５に記録される本画像の確認用のレックビュー画像（被写体画像）を一時的に表示し、このとき、撮像後状態表示手段として、レックビュー画像と共に自動撮影条件と関連した撮像状態に係る撮像後状態画面を表示する。このとき表示した自動撮影条件と関連した撮影状態に係るデータは、撮影された撮影画像と共に記録媒体５に記憶される。なお、撮像後状態画面は、例えば、被写体の本撮像が指示された際における撮像時状態画面Ｃ（図３（ｃ）参照）と略同等のものであっても良い。
これにより、被写体の撮像後に、実際に撮像が行われた際の撮像状態の把握をより好適に行うことができる。
撮像時状態画面Ｃやこの撮像時状態画面Ｃと略同様の撮影後状態画面は、例えば、後述する表示設定ボタン４１ｄを所定操作することにより、表示のオンオフを含む複数の表示形態を切替可能になっており、レックビューで表示するのは、撮影した被写体画像のみであっても良いし、撮像時状態画面Ｃと略同様の撮影後状態画面のみとする設定も可能である。
【００３５】
操作部４は、当該撮像装置１００の所定操作を行うためのものであり、例えば、操作入力部４１と、入力回路４２等を備えている。
【００３６】
操作入力部４１は、シャッターボタン４１ａ、メニューボタン４１ｂ、選択決定用ボタン４１ｃ、表示設定ボタン４１ｄ等を備えている。
【００３７】
シャッターボタン４１ａは、例えば、撮像装置１００の上面側に設けられ（図３（ａ）等参照）、撮像部１による被写体の撮像を指示する。
メニューボタン４１ｂは、例えば、撮像装置１００の背面側に設けられ（図３（ａ）等参照）、オートシャッター撮影処理やセルフタイマー撮影処理等の各種メニューの表示を指示する。
選択決定用ボタン４１ｃは、例えば、メニューボタン４１ｂの下側に設けられ（図３（ａ）等参照）、各種項目の選択を行うカーソルボタンｃ１と、これらカーソルボタンｃ１の内側に設けられ、カーソルボタンｃ１の操作により選択された項目の決定用のＥｎｔｅｒボタンｃ２等を備えている。
表示設定ボタン４１ｄは、例えば、選択決定用ボタン４１ｃの下側に設けられ（図３（ａ）等参照）、画像表示部３２に表示される表示内容を切り替えるためのものである。
【００３８】
入力回路４２は、操作入力部４１から出力され入力された操作信号をＣＰＵ７１に入力するためのものである。
【００３９】
記録媒体５は、例えば、カード型の不揮発性メモリ（フラッシュメモリ）やハードディスク等により構成されている。
また、記録媒体５は、撮像部１による被写体の撮像後に、自動撮影条件設定処理（詳細後述）にて設定された自動撮影条件と、撮像部１により生成された撮像画像データと、当該自動撮影条件と関連した被写体の撮像状態、即ち、撮像状態が「ＯＫ！」であったのか、或いは「Ｐｅｒｆｅｃｔ！」であったのか等の撮像状態を対応付けて記録する。
ここで、記録媒体５は、自動撮影条件と撮像画像データを対応付けて記録する撮影条件記録手段を構成するとともに、撮像状態と撮影画像データとを対応付けて記録する撮像状態記録手段を構成する。
【００４０】
集音部６は、例えば、図示は省略するが、マイクやアンプ等を備えている。また、集音部６は、オートシャッター撮影処理にて、自動撮影条件として「音が鳴ったら」が選択設定された状態で、周囲から発せられた所定の音を集音した場合に、所定の撮影指示信号をＣＰＵ７１に出力する。
さらに、特定の人物の音声や特定のキーワードを事前に録音しておくことにより、録音データを音声認証して、特定の人物の音声、又は特定のキーワード、又はそれらの組み合わせによる集音レベルを撮影状態として表示するものとしても良い。
【００４１】
制御部７は、撮像装置１００の各部を制御するものであり、例えば、ＣＰＵ７１と、プログラムメモリ７２と、データメモリ７３等を備えている。
【００４２】
ＣＰＵ７１は、プログラムメモリ７２に記憶された撮像装置１００用の各種処理プログラムに従って各種の制御動作を行うものである。
【００４３】
データメモリ７３は、例えば、フラッシュメモリ等により構成され、ＣＰＵ７１によって処理されるデータ等を一時記憶する。
【００４４】
プログラムメモリ７２は、ＣＰＵ７１の動作に必要な各種プログラムやデータを記憶するものである。具体的には、プログラムメモリ７２は、自動撮影条件設定プログラム７２ａ、自動撮影条件判定プログラム７２ｂ、撮像状態表示制御プログラム７２ｃ、判定開始時設定プログラム７２ｄ、自動撮像指示制御プログラム７２ｅ等を記憶している。
【００４５】
（プログラムの説明）
自動撮影条件設定プログラム７２ａは、複数種の選択可能自動撮影条件の中から選択可能自動撮影条件を少なくとも一つ任意に設定する自動撮影条件設定処理に係る機能を実現させるためのプログラムである。具体的には、ＣＰＵ７１が自動撮影条件設定プログラム７２ａを実行することで、ユーザによる操作入力部４１のメニューボタン４１ｂの所定操作に基づいてオートシャッター撮影処理が選択されると、画像表示部３２は自動撮影条件設定画面Ｇ１を表示して、カーソルボタンｃ１やＥｎｔｅｒボタンｃ２等の選択決定用ボタン４１ｃの所定操作に基づいて、複数種の選択可能自動撮影条件の中から任意の選択可能自動撮影条件を少なくとも２つ（例えば、「止まったら」、「笑ったら」、「正面を向いたら」等；図２参照）選択して設定する。ここで補足説明を行なうと、選択可能自動撮影条件は、少なくとも１つ選択すれば動作するものであるが、実施例の説明並びに本発明の構成をわかりやすくするために少なくとも２つの選択可能自動撮影条件を選択して設定しているものである。
ここで、ＣＰＵ７１と操作入力部４１は、複数種の選択可能自動撮影条件の中から選択可能自動撮影条件を少なくとも一つ任意に設定する自動撮影条件設定手段を構成している。ここでは、複数種の選択可能自動撮影条件の中から任意の選択可能自動撮影条件を設定することで、自動撮影条件を決定している。
また、自動撮影条件は、一度した設定を記憶しておくことができる構成とすることが望ましい。さらに、最後に設定した設定のみを記憶しておくことが望ましい。これにより、使用者の利便性が向上する。
【００４６】
ここで、複数種の選択可能自動撮影条件とは、項目毎に分類されているものであり、各項目について満たしているか否かの判定に係る重要度（詳細については、変形例１に後述する）を考慮するものではない。具体的には、選択可能自動撮影条件としては、例えば、「止まったら」、「笑ったら」、「音が鳴ったら」、「正面を向いたら」、「目が開いたら」、「口が止まったら」等が挙げられる。
【００４７】
自動撮影条件判定プログラム７２ｂは、ＣＰＵ７１を自動撮影条件判定手段として機能させるものである。即ち、自動撮影条件設定プログラムで設定された自動撮影条件が満たされたかを判定する。また、自動撮影条件判定プログラム７２ｂは、後述する選択可能自動撮影条件判定プログラムを包含している。即ち、各選択可能自動撮影条件が所定の状態になった場合に、自動撮影条件は満たされたと判断されるものであるからである。
選択可能自動撮影条件判定プログラムは、ＣＰＵ７１を選択可能自動撮影条件判定手段として機能させるものである。即ち、選択可能自動撮影条件判定プログラムは、自動撮影条件設定処理にて設定された各選択可能自動撮影条件を満たしているか否かを判定する処理に係る機能をＣＰＵ７１に実現させるためのプログラムである。具体的には、ＣＰＵ７１が選択可能自動撮影条件判定プログラムを実行することで、ユーザによるシャッターボタン４１ａの押下操作後に、自動撮影条件設定処理にて設定された複数の自動撮影条件、例えば、「止まったら」、「笑ったら」、「正面を向いたら」等の自動撮影条件を満たしているか否かを判定する。
例えば、選択可能自動撮影条件「笑ったら」を満たしているか否かを判定する場合、図４（ａ）及び図４（ｂ）に示すように、所定の顔検出処理にて検出された顔（図４（ａ）及び図４（ｂ）にあっては、略矩形状の枠Ｗが重畳表示された部分）の表情を認識することにより、笑っているか否かを判定する。例えば、笑っていないと判定された場合（図４（ａ）参照）には選択可能自動撮影条件を満たさず、一方、笑ったと判定された場合（図４（ｂ）参照）には選択可能自動撮影条件を満たしていると判断する。
なお、後述するように、笑っている状態を笑っていない状態の間である所定の状態で選択可能自動撮影条件を満たすと判断するように構成することも可能である。
なお、顔検出処理とは、ここでは、複数の撮像画像データのうち、一の撮像画像データ（画像フレーム）について顔探索枠を所定方向に走査して、目、鼻、ロなどに相当する特徴部分（顔パーツ）を特定して、各顔パーツの位置関係から顔であるか否かを判定し、顔であると判定されると当該探索枠領域を顔領域として検出する処理であるが、これに限らなくとも良い。
【００４８】
また、選択可能自動撮影条件「止まったら」は、例えば、撮像部１により生成された撮像画像データに基づいて、被写体のぶれがなくなったか否かに基づいて止まったか否かを判定する。
また、「目が開いたら」、「口が止まったら」、「正面を向いたら」は、「笑ったら」と略同様に、顔検出処理にて検出された顔の表情認識により判定する。
また、「音が鳴ったら」は、集音部６による集音結果に基づいて、所定の音が発せられたか否かを判定する。
【００４９】
撮像状態表示制御プログラム７２ｃは、ＣＰＵ７１を撮像状態逐次表示制御手段として機能させるものである。即ち、撮像状態表示制御プログラム７２ｃは、自動撮影条件判定処理による自動撮影条件を満たしているか否かの判定結果に基づいて、撮像部１により撮像された被写体画像の自動撮影条件と関連した撮像状態に係る撮像時状態画面Ｃを画像表示部３２にリアルタイムで表示させる撮像状態表示処理に係る機能をＣＰＵ７１に実現させるためのプログラムである。
具体的には、図３（ａ）〜図３（ｃ）に示すように、ＣＰＵ７１が撮像状態表示制御プログラム７２ｃを実行することで、自動撮影条件判定処理による各自動撮影条件を満たしているか否かの判定結果に応じて、各選択可能自動撮影条件について５段階のレベルで表される撮像時状態画面Ｃを表示する。例えば、被写体が動いている場合には、自動撮影条件判定処理にて選択可能自動撮影条件「止まったら」を満たしていないと判定されるため、「ブレ」のレベルバーが１〜３つ着色された状態となる（図３（ａ）にあっては、１つのレベルバーのみを着色表示した状態を表している）。これに対して、被写体の動きが止まると、選択可能自動撮影条件「止まったら」を満たしていると判定されて、「ブレ」のレベルバーが４つ以上着色された状態となる（図３（ｂ）及び図３（ｃ）にあっては、４つのレベルバーを着色表示した状態を表している）。
ここで、レベル４の状態はほぼブレがとまった状態であり、レベル５の状態はほぼブレがとまった状態が所定時間以上継続した状態としても良いし、また、レベル４の状態はほぼブレがとまった状態であり、レベル５の状態はレベル４の状態よりブレがとまった状態としても良い。
また、被写体が笑っていない場合には、自動撮影条件判定処理にて選択可能自動撮影条件「笑ったら」を満たしていないと判定されるため、「笑顔」のレベルバーが１〜３つ着色された状態となる（図３（ａ）及び図３（ｂ）にあっては、１つのレベルバーのみを着色表示した状態を表している）。これに対して、被写体が笑った状態となると、選択可能自動撮影条件「笑ったら」を満たしていると判定されて、「笑顔」のレベルバーが４つ以上着色された状態となる（図３（ｃ）にあっては、５つのレベルバー全てを着色表示した状態を表している）。
ここで、レベル４の状態は笑っている状態であり、レベル５の状態は笑っている状態が所定時間以上継続した状態としても良いし、また、レベル４の状態は笑っている状態であり、レベル５の状態はレベル４の状態より笑っている状態としても良い。
つまり、レベル５の状態は、レベル４の状態が所定時間以上継続している状態としても良い。
【００５０】
判定開始時設定プログラム７２ｄは、自動撮影条件判定処理による自動撮影条件を満たしているか否かの判定開始時を所定の操作から所定時間経過後に設定する処理に係る機能を実現させるためのプログラムである。具体的には、ＣＰＵ７１が判定開始時設定プログラム７２ｄを実行することで、ユーザによる操作入力部４１のメニューボタン４１ｂの所定操作に基づいてセルフタイマー撮影処理が選択されると、セルフタイマー機能により、自動撮影条件の判定開始時をシャッターボタン４１ａが押下操作されてから所定時間経過後に設定する。
ここで、ＣＰＵ７１と操作入力部４１は、自動撮影条件判定処理の判定開始時を所定の操作から所定時間後に設定する判定開始時設定手段を構成している。
【００５１】
自動撮像指示制御プログラム７２ｅは、ＣＰＵ７１を自動撮像指示制御手段として機能させるものである。即ち、自動撮像指示制御プログラム７２ｅは、自動撮影条件判定処理にて自動撮影条件を満たしていると判定された場合に、撮像部１による被写体の本画像の撮像を指示する処理に係る機能をＣＰＵ７１に実現させるためのプログラムである。具体的には、ＣＰＵ７１が自動撮像指示制御プログラム７２ｅを実行することで、自動撮影条件判定処理にて自動撮影条件を満たしていると判定されると、撮像部１に画像記録用の本画像を撮像させて当該本画像の撮像画像データの取得を指示する。
【００５２】
（フローチャートの説明）
次に、オートシャッター撮影処理について図５及び図６を参照して詳細に説明する。
ここで、図５は、オートシャッター撮影処理に係る動作の一例を示すフローチャートである。
【００５３】
図５に示すように、先ず、ユーザによる操作入力部４１のメニューボタン４１ｂの所定操作に基づいてオートシャッター撮影処理が選択されると（ステップＳ１）、ＣＰＵ７１は、プログラムメモリ７２内の自動撮影条件設定プログラム７２ａを実行して、画像表示部３２に自動撮影条件設定画面Ｇ１を表示させて、選択決定用ボタン４１ｃの所定操作に基づいて複数種の選択可能自動撮影条件の中から選択可能自動撮影条件を任意に設定して自動撮影条件を設定する（ステップＳ２；自動撮影条件設定処理）。
なお、選択可能自動撮影条件は、「止まったら」、「笑ったら」、「音が鳴ったら」、「正面を向いたら」、「目が開いたら」、「口が止まったら」等の各項目について順に１から番号を付してデータメモリ７３に一時的に格納する。
【００５４】
次に、ユーザによる操作入力部４１のメニューボタン４１ｂの所定操作に基づいてセルフタイマー撮影処理が選択されると（ステップＳ３）、ＣＰＵ７１は、プログラムメモリ７２内の判定開始時設定プログラム７２ｄを実行して、（選択可能自動撮影条件の判定を包含する）自動撮影条件の判定開始時をシャッターボタン４１ａが押下操作されてから所定の時間経過後に設定する（ステップＳ４）。
【００５５】
その後、ユーザによる操作入力部４１のシャッターボタン４１ａの所定操作に基づいて（ステップＳ５）、ＣＰＵ７１は、セルフタイマー撮影処理が設定されているか否かを判定して（ステップＳ５１）、セルフタイマー撮影処理が設定されている場合には（ステップＳ５１；ＹＥＳ）、図示しないタイマーによる計時を開始させて（ステップＳ６）、計時される時間が所定の設定時間（判定開始時）に達したか否かを判定する（ステップＳ７）。ここで、判定開始時に達したと判定されると（ステップＳ７；ＹＥＳ）、ＣＰＵ７１は、プログラムメモリ７２内の自動撮影条件判定プログラム７２ｂを実行して、自動撮影条件設定処理にて設定された自動撮影条件を満たしているか否かを判定する自動撮影条件判定処理を行う（ステップＳ８）。
また、ステップＳ５１にて、セルフタイマー撮影処理が設定されていない場合には（ステップＳ５１；ＮＯ）、ＣＰＵ７１は、ステップＳ８の自動撮影条件判定処理を行う。
【００５６】
以下に、自動撮影条件判定処理について図６を参照して詳細に説明する。
ここで、図６は、自動撮影条件判定処理に係る動作の一例を示すフローチャートである。
【００５７】
図６に示すように、自動撮影条件判定処理にあっては、先ず、ＣＰＵ７１は、自動撮影条件の判定順序に係る番号Ｎを「１」として（ステップＳ８１）、複数種の選択可能自動撮影条件のうち、１番目の選択可能自動撮影条件（例えば、「止まったら」；図２参照）をデータメモリ７３から読み出して（ステップＳ８２）、当該選択可能自動撮影条件が設定されているか否かを判定する（ステップＳ８３）。
ステップＳ８３にて、１番目の選択可能自動撮影条件が設定されていると判定されると（ステップＳ８３；ＹＥＳ）、ＣＰＵ７１は、所定時間以内に当該選択可能自動撮影条件を満たしているか否かを判定するとともに（ステップＳ８４）、撮像状態表示制御プログラム７２ｃを実行して、当該判定結果に基づいて撮像状態の変動に係る撮像状態画面Ｃ（図３（ａ）〜図３（ｃ）参照）を画像表示部３２にリアルタイム表示させる。
ここで、当該自動撮影条件を満たしていると判定されると（ステップＳ８４；ＹＥＳ）、ＣＰＵ７１は、複数種の選択可能自動撮影条件の中で未だ判定処理を行っていない他の選択可能自動撮影条件があるか否かを判定する（ステップＳ８５）。このとき、１番目の選択可能自動撮影条件について判定する場合、ステップＳ８５にて、「ＹＥＳ」と判定されて、ＣＰＵ７１は、選択可能自動撮影条件の判定順序に係る番号Ｎを「＋１」インクリメントして（ステップＳ８６）、ステップＳ８２に移行して、２番目の選択可能自動撮影条件（例えば、「笑ったら」；図２参照）についてそれ以降の処理を行う。
【００５８】
一方、ステップＳ８３にて、読み出された選択可能自動撮影条件が設定されていないと判定されると（ステップＳ８３；ＮＯ）、ＣＰＵ７１は、ステップＳ８５に移行して、他の選択可能自動撮影条件があるか否かを判定する（ステップＳ８５）。
また、ステップＳ８４にて、選択可能自動撮影条件を満たしてないと判定されると（ステップＳ８４；ＮＯ）、ＣＰＵ７１は、ステップＳ８１に移行して、１番目の選択可能自動撮影条件についてそれ以降の処理を行う。
【００５９】
上記のようにして、複数種の選択可能自動撮影条件の全てについての判定を行って、ステップＳ８５にて、複数種の選択可能自動撮影条件の中で未だ判定処理を行っていない残りの選択可能自動撮影条件がないと判定されると（ステップＳ８５；ＮＯ）、ＣＰＵ７１は、自動撮影条件を満たしたものと判断して自動撮影を行う。より具体的には、プログラムメモリ７２内の自動撮像指示制御プログラム７２ｅを実行して、撮像部１に画像記録用の本画像を撮像させて（ステップＳ９）、当該本画像に係る撮像画像データを記録媒体５に記録させる（ステップＳ１０）。
このとき、撮像画像データと共に、自動撮影条件を関連付けて記録すると共に、自動撮影条件を満たしたとき、各選択可能自動撮影条件がどのような状態で自動撮影条件を満たしたか、自動撮影条件を満たした時の状態データも、関連付けて記録しておくこととする。
これにより、後で撮影画像を確認するときに、どのような自動撮影条件で撮影して、自動撮影時の自動撮影条件の状態であったのか、確認することが可能となる。
【００６０】
そして、ＣＰＵ７１は、撮像後状態表示制御手段として、所定のプログラム（図示略）を実行して、画像表示部３２に本画像の確認用のレックビュー画像と共に、設定された自動撮影条件と関連した撮像状態に係る撮像後状態画面を一時的に表示させる（ステップＳ１１）。
なお、レックビューの画面は前述したとおり、表示設定ボタン４１ｄの押下により表示形態を変更可能である。
【００６１】
以上のように、実施形態１の撮像装置１００によれば、オートシャッター撮影処理にて、自動撮影条件設定画面Ｇ１内で、複数種の選択可能自動撮影条件の中から複数種の選択可能自動撮影条件を任意に設定して、当該複数種の選択可能自動撮影条件を全て満たしていると判定された場合に、撮像部１による被写体画像の本撮像を指示するので、任意に設定された自動撮影条件で自動撮影処理を行うことができ、ユーザ所望の写真を簡便に得ることができる。
このとき、複数種の選択可能自動撮影条件を適宜組み合わせることができるので、自動撮影にて、より失敗の少ない写真を得ることができるだけでなく、選択可能自動撮影条件の組み合わせを適宜変更することによって、よりユーザの意向に沿った写真を得ることができ、より利便性の高い撮像装置１００を提供することができる。
【００６２】
また、被写体画像の自動撮影条件と関連した撮像状態を画像表示部３２にリアルタイムで表示させることにより、シャッターボタン４１ａを操作する人に現在の撮像状態を報知して、満たしていない自動撮影条件などを被写体である人物に教示させることができることとなって、被写体の撮像をより好適に行うことができる。
さらに、被写体の撮像後に、自動撮影条件と撮像画像データと被写体の撮像状態とを対応付けて記録媒体５に記録することができるので、ユーザは各撮像画像データの自動撮影条件や被写体の撮像状態を把握することができる。例えば、本実施形態にあっては、５段階のレベルバー表示の４つ以上のレベルバーが表示される程度で自動撮影条件の基準値を満たすことになるが、当該自動撮影条件とともに被写体の撮像状態を記録しておくことにより、レベルバーが４つ表示されて撮像された「ＯＫ！」レベルのものであるか、若しくは、５つ表示されて撮像された「Ｐｅｒｆｅｃｔ！」レベルのものであるかを判断することができる。
【００６３】
また、セルフタイマー機能により、自動撮影条件の判定開始時をシャッターボタン４１ａが押下操作されてから所定時間経過後に設定することができ、シャッターボタン４１ａの操作後、直ちに被写体の撮像が行われることを防止することができる。
例えば、集合写真でシャッターボタン４１ａを操作する人物も一緒に写りたい場合などに、シャッターボタン４１ａの押下操作後、直ちに被写体の撮像が行われると、当該操作を行う人物は写れなくなるが、セルフタイマー機能により、シャッターボタン４１ａの操作タイミングと自動撮影条件の判定開始タイミングをずらすことで、操作を行う人物も余裕をもって集合写真に写ることができる。
【００６４】
なお、上記実施形態にあっては、設定された各選択可能自動撮影条件の判定処理にて、所定の基準レベル以上となった場合に、当該選択可能自動撮影条件を満たすと判定するようにしたが、これに限られるものではなく、所定の基準レベルと一致した場合や、所定レベル以下となった場合に、選択可能自動撮影条件を満たすと判定するようにしても良い。これにより、選択可能自動撮影条件の幅を拡げることができ、よりユーザの意向に沿った写真を得ることができる。
例えば、証明写真等の笑顔でない写真が欲しい場合には、選択可能自動撮影条件「笑ったら」を所定レベル以下となった場合に、当該自動撮影条件を満たすと判定するような構成とすることで対応することができる。
【００６５】
なお、本発明は、上記実施形態に限定されることなく、本発明の趣旨を逸脱しない範囲において、種々の改良並びに設計の変更を行っても良い。
以下に、撮像装置１００の変形例について説明する。
【００６６】
＜変形例１＞
変形例１の撮像装置は、複数種の選択可能自動撮影条件の各々について重要度を設定して、当該重要度を撮像指示基準としてオートシャッター撮影処理を行う。
即ち、上記実施形態においては、ステップＳ２において選択可能自動撮影条件の設定（選択）を行っているが、上記実施形態において、全ての選択可能自動撮影条件の中から任意の選択可能自動撮影条件を選択した上で、選択した選択可能自動撮影条件について、下記の通り重要度を設定する。
なお、変形例１の撮像装置は、選択可能自動撮影条件の重要度の設定に係る構成以外の点では上記実施形態と略同様であるので、同様の構成には同一の符号を付してその説明を省略する。
【００６７】
つまりここでは、自動撮影条件設定処理にて、ＣＰＵ７１が自動撮影条件設定プログラム７２ａを実行することで、画像表示部３２に自動撮影条件設定画面Ｇ２を表示させて、カーソルボタンｃ１やＥｎｔｅｒボタンｃ２等の選択決定用ボタン４１ｃの所定操作に基づいて、複数種の選択可能自動撮影条件の各々について当該条件を満たしているか否かの判定に係る重要度（判定基準）を設定する。
具体的には、図７に示すように、自動撮影条件設定画面Ｇ２は、「止まったら」、「笑ったら」、「音が鳴ったら」、「正面を向いたら」、「目が開いたら」、「口が止まったら」等の複数種の選択可能自動撮影条件の項目について、その重要度を星（「☆」及び「★」）の数で表している。
選択可能自動撮影条件の重要度は、所定の色で着色された表示（ドット表示）の星「★」の数が多いほど、重要度が高いことを表しており、重要度を高くすると白抜き（ドットなし）の星「☆」が所定の色で着色された表示の星「★」となる（図７参照）。例えば、選択可能自動撮影条件「止まったら」は、ドット表示の星「★」の数が３つであり、最も重要度が高く、選択可能自動撮影条件「笑ったら」及び「目が開いたら」は、ドット表示の星「★」の数が２つであり、その次に重要度が高く、選択可能自動撮影条件「正面を向いたら」は、ドット表示の星「★」の数が１つであり、その次に重要度が高く、選択可能自動撮影条件「音が鳴ったら」及び「口が止まったら」は、ドット表示の星の数が「０」、即ち、白抜きの星「☆」の数が３つであり、重要度が最も低くなっている。
なお、複数種の選択可能自動撮影条件の項目のうち、ユーザによるカーソルボタンｃ１の所定操作に基づいて現に選択されている項目「笑ったら」は、背景部分が所定の色で着色された表示（ドット表示）とされている。
このように、ＣＰＵ７１と操作入力部４１は、複数種の選択可能自動撮影条件の各々について、オートシャッター撮影処理における撮像指示に係る撮像指示基準を設定する基準設定手段を構成している。
【００６８】
そして、ＣＰＵ７１は、プログラムメモリ７２内の自動撮影条件判定プログラム７２ｂを実行すると、それに応じて選択可能自動撮影条件判定プログラムも併せて実行して、自動撮影条件設定処理にて設定された複数種の選択可能自動撮影条件に係る撮像指示基準を満たしているか否かを判定する。具体的には、例えば、選択可能自動撮影条件「正面を向いたら」の重要度にあっては、最も重要度の高い場合（ドット表示の星「★」の数が３つ）、被写体の人物の顔が略正面を向いている場合にのみ（図８（ａ）参照）、判定基準（選択可能自動撮影条件）を満たしていると判定し、次に重要度の高い場合（ドット表示の星「★」の数が２つ）、被写体の人物の顔が略正面を向いている場合と斜めを向いている場合に（図８（ａ）及び図８（ｂ）参照）、判定基準を満たしていると判定し、次に重要度の高い場合（ドット表示の星「★」の数が１つ）、被写体の人物の顔が略正面を向いている場合と斜めを向いている場合と横を向いている場合に（図８（ａ）〜図８（ｃ）参照）、判定基準を満たしていると判定し、重要度が最も低い場合（ドット表示の星の数が「０」）、人物の顔の向きは関係なく選択可能自動撮影条件を満たしていると判定する。
ここで、ＣＰＵ７１は、自動撮影条件設定処理にて設定された複数の判定基準を満たしているか否かを判定する判定基準判定手段として機能する。
つまり、設定された複数種の選択可能撮影条件の判定基準より、自動撮影条件を決定して、自動撮影条件を満たしているか否かを判定するように機能する。
【００６９】
そして、自動撮影条件判定処理にて、複数種の選択可能自動撮影条件に係る判定基準を全て満たしていると判定されると、ＣＰＵ７１は、プログラムメモリ７２内の自動撮像指示制御プログラム７２ｅを実行して、撮像部１に画像記録用の本画像の撮像を指示する。
【００７０】
従って、変形例１の撮像装置によれば、複数種の選択可能自動撮影条件の設定をより細かくすることができるので、各選択可能自動撮影条件についての重要度を考慮してオートシャッター撮影処理を行うことができる。即ち、選択可能自動撮影条件の重要度の高低を変更することにより、自動撮影条件の設定の幅を拡げることができ、よりユーザの意向に沿った写真を得ることができる。
【００７１】
なお、上記変形例１にあっては、自動撮影条件判定処理にて、設定された複数種の選択可能自動撮影条件に係る判定基準を全て満たしていると判定された場合に、画像記録用の本画像を撮像するようにしたが、これに限られるものではなく、複数種の判定基準のうちの少なくとも一つを満たしていると判定した場合に、本画像を撮像するようにしても良い。
また、重要度とは、単なるデータの重み付けとしてもよく、星「★」３つの場合は１００％、星「★」２つの場合は７５％、星「★」１つの場合は５０％、星「★」無しの場合は２５％又は当該機能をオフするというような構成としても構わない。
また、全ての項目を満たさなくとも、各データと重みとの積を各項目毎に算出し、その総和が所定条件以上になった時にシャッターを行う構成としても良い。
【００７２】
さらに、上記変形例１にあっては、任意の選択可能自動撮影条件を選択した上で、選択した選択可能自動撮影条件について重要度を設定することとしたが、このようではなくとも構わず、全ての選択可能自動撮影条件（自動撮影条件構成項目）について重要度を設定するように構成しても良い。この場合に、全ての選択可能自動撮影条件について重要度を設定した上で、その中から任意の選択可能自動撮影条件を選択して自動撮影条件を決定して撮影を行うように構成しても当然構わない。
【００７３】
また、上記実施形態及び変形例１にあっては、設定した全ての選択可能自動撮影条件を満たした場合に撮影を行うように構成したが、このようではなくとも構わず、設定した選択可能自動撮影条件のうち、所定数の選択可能自動撮影条件を満たしたら撮影を行うように構成しても構わない。
より具体的には、動き回る子供を撮影する場合、設定した選択可能撮影条件を全て満たすことは困難であるため、上記したとおり、設定した選択可能自動撮影条件のうち、所定数の選択可能自動撮影条件を満たした場合に、自動撮影条件を満たしたと判断して自動撮影を行うように構成することが好ましい場合がある。
これにより、全ての撮影条件を満たすのが難しいような撮影状況の場合にも、本発明に係る自動撮影を適用することができる。
また、更に深化させて、必ず満たす必要がある第一の選択可能自動撮影条件と、必ずしも満たす必要がない第二の選択可能自動撮影条件とを設定し、全ての第一の選択可能自動撮影条件と、第二の選択可能自動撮影条件のうち、所定数の選択可能自動撮影条件を満たした場合に、自動撮影条件を満たしたものと判断して自動撮影を行うように構成しても構わない。
これにより、より所望の状態に近い撮影を行うことが可能となる。
要約すると、上記した３つの撮影モードは、
１；全ての選択可能自動撮影条件を満たした場合に自動撮影
２；所定数の選択可能自動撮影条件を満たした場合に自動撮影
３；全ての第一の選択可能自動撮影条件と、所定数の第二の選択可能自動撮影条件を満たした場合に自動撮影
となり、これら３つの撮影モードの中から１つを任意に選択可能に構成しても良い。ここで、撮影モードの選択は、図５のフローチャートのステップＳ１で行うこととする。
また、これら３つの撮影モードは、図５のフローチャートのステップＳ２と、ステップＳ８における自動撮影条件判定処理のプログラムの内容を変更することで実現することができる。
【００７４】
＜変形例２＞
変形例２の撮像装置２００は、被写体から複数の人物を検出して、各人物について自動撮影条件を設定してオートシャッター撮影処理を行う。
なお、変形例２の撮像装置２００は、複数人物検出処理に係る構成以外の点では上記実施形態と略同様であるので、同様の構成には同一の符号を付してその説明を省略する。
【００７５】
図９に示すように、プログラムメモリ７２は、自動撮影条件設定プログラム７２ａ、自動撮影条件判定プログラム７２ｂ、撮像状態表示制御プログラム７２ｃ、判定開始時設定プログラム７２ｄ、自動撮像指示制御プログラム７２ｅに加えて、複数人物検出プログラム７２ｆを記憶している。
【００７６】
複数人物検出プログラム７２ｆは、ＣＰＵ７１を複数人物検出手段として機能させるものである。即ち、複数人物検出プログラム７２ｆは、撮像部１により撮像される被写体画像から複数の人物を検出する処理に係る機能をＣＰＵ７１に実現させるためのプログラムである。具体的には、ＣＰＵ７１が複数人物検出プログラム７２ｆを実行することで、撮像部１により生成された撮像画像データに基づいて、顔検出処理により被写体画像から複数の人物の顔を検出する。
【００７７】
そして、ＣＰＵ７１がプログラムメモリ７２内の自動撮影条件設定プログラム７２ａを実行して、複数人物検出処理にて検出された複数の人物の各々について自動撮影条件を設定する。ここで、自動撮影条件の設定方法としては、例えば、各人物の顔と重畳表示された略矩形状の枠（図示略）を操作入力部４１の所定操作に基づいて選択した後、所定の自動撮影条件設定画面（図示略）にて自動撮影条件を設定する方法が挙げられる。
その後、ＣＰＵ７１がプログラムメモリ７２内の自動撮影条件判定プログラム７２ｂを実行して、自動撮影条件設定処理にて設定された複数の人物に係る自動撮影条件を満たしているか否かを判定する。ここで、自動撮影条件の判定方法としては、例えば、図６におけるステップＳ８１の前に、複数の人物の中で自動撮影条件の判定に係る人物を指定する処理を行って、指定された人物についてそれ以降の処理を行い、全て満たしていると判定された場合に、次の人物を指定して同様の処理を行うことで、複数の人物に係る自動撮影条件を全て満たしているか否かを判定する方法が挙げられる。
そして、自動撮影条件判定処理にて複数の人物に係る自動撮影条件を満たしていると判定された場合に、ＣＰＵ７１が自動撮像指示制御プログラム７２ｅを実行して、撮像部１に画像記録用の本画像の撮像を指示する。
【００７８】
従って、変形例２の撮像装置２００によれば、被写体に複数の人物が含まれている場合であっても、オートシャッター撮影処理にて、複数の人物について任意に自動撮影条件を設定することができ、ユーザ所望の写真を簡便に得ることができる。
例えば、家族写真を自動撮影する場合に、父親や母親といった大人と赤ちゃんとで個別に自動撮影条件を設定することができるので、赤ちゃんの動きが落ち着かない場合や寝ている場合であっても、赤ちゃんについては、「止まったら」や「正面を向いたら」や「目が開いたら」等の所定の自動撮影条件を設定しなかったり、設定しても自動撮影条件の判定基準をより緩やかにすることで、ユーザ所望の写真を得ることができる。
【００７９】
なお、上記変形例２にあっては、複数の人物に係る自動撮影条件を全て満たしていると判定した場合に、ＣＰＵ７１は、本画像の撮像を指示するようにしたが、これに限られるものではなく、例えば、画角内の略中心に存する人物から自動撮影条件の判定を行うようにして、少なくとも当該人物に係る自動撮影条件を満たしていると判定した場合に、本画像の撮像を指示するようにしても良い。
さらに、変形例２の撮像装置２００にて、画像表示部３２にリアルタイムで被写体の撮像状態に係る撮像時状態画面Ｃを表示する場合、自動撮影条件を満たしていない人物に係るもののみを表示するようにしても良いし、複数の人物について切り替えて表示するようにしても良い。
【００８０】
また、上記変形例２では、各人物に対応した複数の自動撮影条件を設定可能としたが、これに限られるものではなく、例えば、何れか一の自動撮影条件を設定するようにして、当該自動撮影条件を全員が満たしたら撮影するようにしても良いし、所定の人物（例えば、中央にいる人物）のみが満たしたら撮影するようにしても良い。
また、上記実施形態では、セルフタイマー撮影処理を行うようにしたが、これに限られるものではなく、ユーザによるシャッターボタン４１ａの所定操作後、直ちに自動撮影条件判定処理を行うようにしても良い。
【００８１】
また、上記実施形態にあっては、画像表示部３２にリアルタイムで被写体の撮像状態を表示するようにしたが、これに限られるものではなく、被写体の撮像状態を他の報知手段により報知するようにしても良い。例えば、撮像装置１００、２００の正面側に撮像状態の変動を表示可能なＬＥＤを設けたり、撮像状態に応じて異なる音声を発音するスピーカを搭載しても良い。
【００８２】
さらに、上記実施形態にあっては、自動撮影条件判定処理にて、設定された複数種の選択可能自動撮影条件の全てを満たしていると判定された場合に、画像記録用の本画像を撮像するようにしたが、これに限られるものではなく、複数種の選択可能自動撮影条件のうちの少なくとも一つを満たしていると判定した場合に、本画像を撮像するようにしても良い。
さらに、上記実施形態にあっては、各選択可能自動撮影条件の項目毎に合否の判定を行い、全ての項目が合格になったら撮影を行うように構成したが、これに限らず、各選択可能自動撮影条件の項目毎に点数を付けて、その合計点が所定点数以上になった時に撮影を行うように構成しても構わない。即ち、選択設定可能な自動撮影条件の候補として規定されている複数種の選択可能自動撮影条件の中から所定数の自動撮影条件を設定するのではなく、複数種の選択可能自動撮影条件の項目を組み合わせて一の自動撮影条件を設定するようにしても良い。
これにより、オートシャッターの設定の自由度を向上することができる。
【００８３】
また、上記実施形態並びに変形例１及び２にあっては、自動撮影条件を満たした場合に、自動撮影を行い１枚の静止画を撮影するように構成したが、このようではなくとも構わない。例えば、動画又は連写画像又はスルー画像として撮影し続けている画像の中から、自動撮影条件を満たしたタイミングの静止画像を記録するように構成しても良い。つまり、撮影は連続的に行われていて、自動撮影条件を満たした時には撮影された画像の記録のみを行うように構成しても良い。
【００８４】
また、撮像装置１００の構成は、上記実施形態に例示したものは一例であり、これに限られるものではない。
さらに、選択可能自動撮影条件として、「止まったら」、「笑ったら」、「音が鳴ったら」、「正面を向いたら」、「目が開いたら」、「口が止まったら」を例示したが、これらに限られるものではなく、選択可能自動撮影処理の際に撮像を指示するか否かの判定基準として適用することができるものならば如何なるものであっても良い。
【００８５】
加えて、上記実施形態では、自動撮影条件設定手段、自動撮影条件判定手段、選択可能自動撮影条件判定手段、自動撮像指示制御手段、選択可能自動撮影条件判定手段、基準設定手段、判定開始時設定手段、複数人物検出手段、撮像状態逐次表示制御手段、撮像後状態表示制御手段としての機能を、ＣＰＵ７１によって所定のプログラム等が実行されることにより実現される構成としたが、これに限られるものではなく、例えば、各種機能を実現するためのロジック回路等から構成しても良い。
【符号の説明】
【００８６】
１００、２００ 撮像装置
１      撮像部（撮像手段）
３      表示部
３２    画像表示部
４      操作部
４１    操作入力部（自動撮影条件設定手段、判定開始時設定手段、基準設定手段）
４１ａ  シャッターボタン
４１ｂ  メニューボタン
４１ｃ  選択決定用ボタン
５      記録媒体（撮影条件記録手段、撮像状態記録手段）
７１    ＣＰＵ（自動撮影条件設定手段、自動撮影条件判定手段、自動撮像指示制御手段、選択可能自動撮影条件判定手段、基準設定手段、判定開始時設定手段、複数人物検出手段、撮像状態逐次表示制御手段、撮像後状態表示制御手段）
【図１】
2010158047.tif 000003
【図２】
2010158047.tif 000004
【図３】
2010158047.tif 000005
【図４】
2010158047.tif 000006
【図５】
2010158047.tif 000007
【図６】
2010158047.tif 000008
【図７】
2010158047.tif 000009
【図８】
2010158047.tif 000010
【図９】
2010158047.tif 000011
【手続補正書】
【提出日】平成22年3月1日(2010.3.1)
【手続補正１】
【補正対象書類名】明細書
【補正対象項目名】０００６
【補正方法】変更
【補正の内容】
【０００６】
請求項１に記載の発明の撮像装置は、
被写体を撮像する撮像手段と、
複数種の選択設定可能な選択可能自動撮影条件の中から少なくとも１つを任意に設定して自動撮影条件を設定する自動撮影条件設定手段と、
前記自動撮影条件設定手段により設定された前記自動撮影条件を満たしているか否かを判定する自動撮影条件判定手段と、
前記自動撮影条件判定手段による前記自動撮影条件に対する判定結果に基づいて、条件を満たしていると判定される判定基準に対する判定結果の比率を逐次表示させる撮像状態逐次表示制御手段と、
前記自動撮影条件判定手段により前記自動撮影条件を満たしていると判定された場合に、前記撮像手段による被写体の撮像又は被写体画像の記録を指示する自動撮像指示制御手段と、
を備えたことを特徴とする。
【手続補正２】
【補正対象書類名】明細書
【補正対象項目名】００１０
【補正方法】変更
【補正の内容】
【００１０】
請求項５に記載の発明は、請求項２〜４の何れか一項に記載の撮像装置において、
前記複数種の選択可能自動撮影条件の各々について、当該条件の判定に係る判定基準を設定する基準設定手段を備えることを特徴としている。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
請求項９に記載の発明は、請求項１〜８の何れか一項に記載の撮像装置において、
前記撮像手段による撮像後に、当該撮像手段により撮像された撮像時の被写体画像と、前記被写体画像の前記自動撮影条件と関連した撮像状態とを表示させる撮像後状態表示制御手段を備えることを特徴としている。
【手続補正５】
【補正対象書類名】明細書
【補正対象項目名】００１６
【補正方法】変更
【補正の内容】
【００１６】
請求項１０に記載の発明は、請求項１〜９の何れか一項に記載の撮像装置において、
前記撮像手段により撮像される被写体から複数の人物を検出する複数人物検出手段を備え、
前記自動撮影条件設定手段は、前記複数人物検出手段により検出された前記複数の人物について前記自動撮影条件を設定し、
前記自動撮影条件判定手段は、前記自動撮影条件設定手段により設定された前記複数の人物に係る前記自動撮影条件を満たしているか否かを判定し、
前記自動撮像指示制御手段は、前記自動撮影条件判定手段により前記複数の人物に係る前記自動撮影条件を満たしていると判定された場合に、前記撮像手段による被写体の撮像を指示することを特徴としている。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
請求項１１に記載の発明のプログラムは、
被写体を撮像する撮像手段を備える撮像装置に、
複数種の選択設定可能な選択可能自動撮影条件の中から少なくとも１つを任意に設定して自動撮影条件を設定する機能と、
設定された前記自動撮影条件を満たしているか否かを判定する機能と、
前記自動撮影条件に対する判定結果に基づいて、条件を満たしていると判定される判定基準に対する判定結果の比率を逐次表示を指示する機能と、
前記自動撮影条件を満たしていると判定された場合に、前記撮像手段による被写体の撮像又は被写体画像の記録を指示する機能と、
を実現させることを特徴としている。
【手続補正８】
【補正対象書類名】明細書
【補正対象項目名】００１９
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
被写体を撮像する撮像手段と、
複数種の選択設定可能な選択可能自動撮影条件の中から少なくとも１つを任意に設定して自動撮影条件を設定する自動撮影条件設定手段と、
前記自動撮影条件設定手段により設定された前記自動撮影条件を満たしているか否かを判定する自動撮影条件判定手段と、
前記自動撮影条件判定手段による前記自動撮影条件に対する判定結果に基づいて、条件を満たしていると判定される判定基準に対する判定結果の比率を逐次表示させる撮像状態逐次表示制御手段と、
前記自動撮影条件判定手段により前記自動撮影条件を満たしていると判定された場合に、前記撮像手段による被写体の撮像又は被写体画像の記録を指示する自動撮像指示制御手段と、
を備えることを特徴とする撮像装置。
【請求項２】
前記自動撮影条件設定手段は、複数種の選択可能自動撮影条件の中から少なくとも２つ設定し、
前記自動撮影条件設定手段により設定された前記選択可能自動撮影条件を個別に満たしているか否かを判定する選択可能自動撮影条件判定手段を備えることを特徴とする請求項１に記載の撮像装置。
【請求項３】
前記自動撮影条件判定手段は、前記選択可能自動撮影条件判定手段により前記選択可能自動撮影条件を全て満たしていると判定された場合に、前記自動撮影条件を満たしていると判断することを特徴とする請求項２に記載の撮像装置。
【請求項４】
前記自動撮影条件判定手段は、前記選択可能自動撮影条件判定手段により前記選択可能自動撮影条件を所定数満たしていると判定された場合に、前記自動撮影条件を満たしていると判断することを特徴とする請求項２に記載の撮像装置。
【請求項５】
前記複数種の選択可能自動撮影条件の各々について、当該条件の判定に係る判定基準を設定する基準設定手段を備えることを特徴とする請求項２〜４の何れか一項に記載の撮像装置。
【請求項６】
前記撮像手段による撮像後に、前記自動撮影条件設定手段により設定された前記自動撮影条件と、前記撮像手段により撮像され生成された画像情報とを対応付けて記録する撮影条件記録手段を備えることを特徴とする請求項１〜５の何れか一項に記載の撮像装置。
【請求項７】
前記撮像手段による撮像後に、前記撮像手段により撮像され生成された画像情報と、前記自動撮影条件と関連した被写体の撮像状態とを対応付けて記録する撮像状態記録手段を備えることを特徴とする請求項１〜６の何れか一項に記載の撮像装置。
【請求項８】
前記自動撮影条件判定手段による前記自動撮影条件を満たしているか否かの判定開始時を所定の操作から所定時間経過後に設定する判定開始時設定手段を備えることを特徴とする請求項１〜７の何れか一項に記載の撮像装置。
【請求項９】
前記撮像手段による撮像後に、当該撮像手段により撮像された撮像時の被写体画像と、前記被写体画像の前記自動撮影条件と関連した撮像状態とを表示させる撮像後状態表示制御手段を備えることを特徴とする請求項１〜８の何れか一項に記載の撮像装置。
【請求項１０】
前記撮像手段により撮像される被写体から複数の人物を検出する複数人物検出手段を備え、
前記自動撮影条件設定手段は、前記複数人物検出手段により検出された前記複数の人物について前記自動撮影条件を設定し、
前記自動撮影条件判定手段は、前記自動撮影条件設定手段により設定された前記複数の人物に係る前記自動撮影条件を満たしているか否かを判定し、
前記自動撮像指示制御手段は、前記自動撮影条件判定手段により前記複数の人物に係る前記自動撮影条件を満たしていると判定された場合に、前記撮像手段による被写体の撮像を指示することを特徴とする請求項１〜９の何れか一項に記載の撮像装置。
【請求項１１】
被写体を撮像する撮像手段を備える撮像装置に、
複数種の選択設定可能な選択可能自動撮影条件の中から少なくとも１つを任意に設定して自動撮影条件を設定する機能と、
設定された前記自動撮影条件を満たしているか否かを判定する機能と、
前記自動撮影条件に対する判定結果に基づいて、条件を満たしていると判定される判定基準に対する判定結果の比率を逐次表示を指示する機能と、
前記自動撮影条件を満たしていると判定された場合に、前記撮像手段による被写体の撮像又は被写体画像の記録を指示する機能と、
を実現させることを特徴とするプログラム。